(57)【要約】【課題】ＤＶＤに対応して記録再生を行うビデオカメラ装置などにおいて、ＤＶＤ装填時のマウント処理に要する時間ができるだけ短縮されるようにする。【解決手段】複数種類の論理フォーマットに対応する物理フォーマットのＤＶＤについては、マウント処理の結果として認識される論理フォーマットの履歴を示す、マウント履歴情報を作成して、不揮発性メモリに保持しておく。そして、マウント処理が実行されるべきときには、このマウント履歴情報における登録数の多い論理フォーマットの順に従って、論理フォーマットごとに対応したマウント処理（論理フォーマット別マウント処理）の実行順を決定し、この実行順によりマウント処理を行うようにされる。これにより、マウント処理がはじめの実行順の論理フォーマット別マウント処理の段階で終了する可能性が高くなる。【選択図】図５
2008041135.tif 000002
【特許請求の範囲】
【請求項１】
記憶媒体の装填部に装填された所定の物理フォーマットの記憶媒体をソフトウェア階層で操作可能なように認識するための記憶媒体認識処理として、上記物理フォーマットの下で採用可能に規定される２以上の所定の論理フォーマットごとに個別に対応した記憶媒体認識処理である、論理フォーマット別認識処理を順次実行していくようにされた認識処理手段と、
過去において装填部に装填された記憶媒体を対象として実行された所定の処理の結果により特定されたとする論理フォーマットの履歴を示す特定論理フォーマット履歴情報を、上記所定の処理が実行されるのに応じて作成する作成手段と、
上記特定論理フォーマット履歴情報が保持される記憶手段と、
上記記憶手段に保持されている特定論理フォーマット履歴情報において示される論理フォーマットの出現頻度に応じて、上記認識処理手段が実行する上記論理フォーマット別認識処理の順序を設定するようにされた認識処理順制御手段と、
を備えることを特徴とする記憶媒体対応処理装置。
【請求項２】
上記作成手段は、
上記認識処理手段が論理フォーマット別認識処理を試行して成功したことで特定されることとなる、記憶媒体認識処理対象の記憶媒体の論理フォーマットの履歴が示されるようにして、上記特定論理フォーマット履歴情報を作成する、
ことを特徴とする請求項１に記載の記憶媒体対応処理装置。
【請求項３】
装填された記憶媒体を、その物理フォーマットに応じて決まる論理フォーマットのうちから選択した論理フォーマットにより初期化する初期化手段を備え、
上記作成手段は、
上記初期化手段が初期化を実行した結果として特定されることとなる、初期化後の記憶媒体の論理フォーマットの履歴が示されるようにして、上記特定論理フォーマット履歴情報を作成する、
ことを特徴とする請求項１に記載の記憶媒体対応処理装置。
【請求項４】
上記装填部に装填された記憶媒体を、その物理フォーマットに応じて候補となる論理フォーマットのうちから選択した論理フォーマットにより初期化する初期化手段を備えるとともに、
上記作成手段は、
上記認識処理手段が実行させた論理フォーマット別認識処理が成功したことで特定されることとなる、記憶媒体認識処理対象の記憶媒体の論理フォーマットの履歴を示す認識対応特定論理フォーマット履歴情報と、上記初期化手段が初期化を実行した結果として特定されることとなる、初期化後の記憶媒体の論理フォーマットの履歴を示す初期化対応特定論理フォーマット履歴情報とを、上記特定論理フォーマット履歴情報として作成し、
上記認識処理順制御手段が利用する特定論理フォーマット履歴情報として、上記認識対応特定論理フォーマット履歴情報と上記初期化対応特定論理フォーマット履歴情報のいずれか一方を、所定の選択基準に基づいて選択する履歴情報選択手段を備える、
ことを特徴とする請求項１に記載の記憶媒体対応処理装置。
【請求項５】
記憶媒体の初期化に使用する論理フォーマットを選択するために、この初期化対象の記憶媒体の物理フォーマットに応じて決まる複数の論理フォーマットを選択項目として提示し、これらの選択項目における１つの選択項目を対象として、現在選択中にあることを示す選択中表示を行うようにされる初期化フォーマット指定操作画面を表示させるための表示制御を実行する初期化画面表示手段と、
上記初期化フォーマット指定操作画面の表示を開始させるのにあたり、上記記憶手段に保持されている特定論理フォーマット履歴情報において示される論理フォーマットの出現頻度に基づいて決定した論理フォーマットの選択項目が上記選択中表示の対象となるようにして、上記初期化画面表示手段に対する指示を行う選択項目指示手段と、
初期化フォーマット指定操作画面の表示中において決定操作が行われたときに上記選択中表示の対象となっていた選択項目の論理フォーマットにより、記憶媒体の初期化を実行するようにされた初期化手段と、
を備えることを特徴とする請求項１に記載の記憶媒体対応処理装置。
【請求項６】
記憶媒体の装填部に装填された所定の物理フォーマットの記憶媒体をソフトウェア階層で操作可能なように認識するための記憶媒体認識処理として、上記物理フォーマットの下で採用可能に規定される２以上の所定の論理フォーマットごとに対応した論理フォーマット別認識処理を順次試行していく認識手順と、
過去において装填部に装填された記憶媒体を対象として実行された所定の処理の結果により特定されたとする論理フォーマットの履歴を示す特定論理フォーマット履歴情報を、上記所定の処理が実行されるのに応じて作成し、記憶手段に保持させる作成保持制御手順と、
上記特定論理フォーマット履歴情報が保持される上記記憶手段により保持されている特定論理フォーマット履歴情報において示される論理フォーマットの出現頻度に応じて、上記認識手順が実行する上記論理フォーマット別認識処理の順序を指定する認識処理順制御手順と、
を実行することを特徴とする記憶媒体対応処理方法。
【請求項７】
記憶媒体の装填部に装填された所定の物理フォーマットの記憶媒体をソフトウェア階層で操作可能なように認識するための記憶媒体認識処理として、上記物理フォーマットの下で採用可能に規定される２以上の所定の論理フォーマットごとに対応した論理フォーマット別認識処理を順次試行していく認識手順と、
過去において装填部に装填された記憶媒体を対象として実行された所定の処理の結果により特定されたとする論理フォーマットの履歴を示す特定論理フォーマット履歴情報を、上記所定の処理が実行されるのに応じて作成し、記憶手段に保持させる作成保持制御手順と、
上記特定論理フォーマット履歴情報が保持される上記記憶手段により保持されている特定論理フォーマット履歴情報において示される論理フォーマットの出現頻度に応じて、上記認識手順が実行する上記論理フォーマット別認識処理の順序を指定する認識処理順制御手順と、
を記憶媒体対応処理装置に実行させることを特徴とするプログラム。
【発明の詳細な説明】
【技術分野】
【０００１】
本発明は、所定の物理フォーマットと論理フォーマットが規定される記憶媒体に対応して、記憶媒体に対するデータの読み出し、書き込み等の操作のための処理が可能とされる記憶媒体対応処理装置、及びその方法と、記憶媒体対応処理装置において実行させるプログラムに関する。
【背景技術】
【０００２】
所定種類の記憶媒体に対応してデータの記録再生が可能なドライブ装置を備える機器では、例えば所定階層のソフトウェアの制御により、装填された記憶媒体を対象とするマウントという処理が実行される。これにより、ソフトウェア階層により、記憶媒体のディレクトリ構成を含む記憶内容などが認識され、データの書き込み、読み出し命令などの操作が可能となる。
【０００３】
ところで、記憶媒体には、１種類の物理フォーマットに対して、複数種類の論理フォーマットが対応可能に規定されているものがある。一例として、ＤＶＤ(Digital Versatile Disc)の物理フォーマットの１つにＤＶＤ−ＲＷが知られているが、このＤＶＤ−ＲＷを例に挙げれば、論理フォーマットとして、少なくとも、ＤＶＤ−Ｖｉｄｅｏ、ＤＶＤ−Ｖｉｄｅｏ Ｒｅｃｏｒｄｉｎｇ Ｆｏｒｍａｔ（ＤＶＤ−ＶＲ）の２つが対応可能とされていることが一般的である。従って、初期化済みのＤＶＤ−ＲＷについては、ＤＶＤ−ＶｉｄｅｏとＤＶＤ−ＶＲの何れかの論理フォーマットに適合した形式による初期化（フォーマット）がかけられている可能性があることになる。
【０００４】
そして、上記のようにして、１種類の物理フォーマットに対応して２種類以上の論理フォーマットが対応可能とされている規格であることに応じて、実際の記憶媒体のドライブ装置、及びドライブ装置を備える機器などとしても、或る１つの物理フォーマットについて、複数の論理フォーマットに対応できるように構成されたものが知られている。
このようにして複数の論理フォーマットが対応可能に規定される記憶媒体に対応可能なように構成することとした場合において、上記したマウント処理については、各論理フォーマットに対応した個別のアルゴリズムによる処理機能を実装する必要がある。
マウント処理は、論理フォーマットにより規定されるファイルシステム形式及び記憶媒体の論理構造などに従って所定の管理領域へのアクセスなどを行うことで、正常な処理結果を得るようにされるものである。しかしながら、上記のファイルシステム形式や、初期化によって形成される記憶媒体の論理構造は、適用される論理フォーマットに応じて異なることが通常である。従って、或る１つの論理フォーマットに対応したアルゴリズムによるマウント処理を、他の論理フォーマットにより初期化された記憶媒体を対象として実行したとしても、そのマウント処理はエラーとなる。従って、上記のようにして、マウント処理のためのアルゴリズムは、論理フォーマットごとに適応して変更されるべきものであることになる。
【０００５】
そして、複数種類の論理フォーマットが規定される所定物理フォーマットの記憶媒体に対応する機器では、上記のようにして複数種の論理フォーマットごとに対応したアルゴリズムのマウント処理機能を実装した上で、実際にマウント処理を実行するときには、いわゆるデフォルトとして予め定められた所定の論理フォーマット種別の順に従ってマウント処理を試行していくようにされる。つまり、先ずは、１番目として設定されている論理フォーマット種別に適合したアルゴリズムによりマウント処理を実行してみて、失敗したのであれば、以降、次の順番が設定されている他の論理フォーマット種別に適合したアルゴリズムによりマウント処理を順次実行していくようにされる。このような手順とすることで、マウント処理を進めていく過程において、いずれは、マウント処理対象となっている記憶媒体の初期化に実際に適用された論理フォーマットの種類とマウント処理が対応する論理フォーマットとが一致することとなり、最終的にはマウント処理が正常に終了することになる。
【０００６】
【特許文献１】特開２００２−５００４０号公報
【発明の開示】
【発明が解決しようとする課題】
【０００７】
しかしながら、上記のマウント処理は、１つの論理フォーマット種別に対応する処理だけでも、比較的長い時間を必要とする。特に、ＤＶＤなどをはじめとするディスク状記憶媒体については、物理的に記憶媒体の信号面に対してレーザ光を照射するようにして、所定の記憶領域にアクセスを実行させる必要があることから、マウント処理に要する時間は長くなる傾向にある。
すると、複数種の論理フォーマットが規定される所定物理フォーマットの記憶媒体に対応する機器において、上記のようにして、予め決められた論理フォーマット種別順に従ってマウント処理を順次試行していく構成とした場合においては、処理対象の記憶媒体の論理フォーマットの種別が、マウント処理順の後ろとなるほど、マウント処理が完了するまでに時間がかかってしまうことになる。一般に記憶媒体のドライブを備える機器においては、記憶媒体を装填してマウント処理が開始されると、その処理が正常終了するまでは他の動作に移行できないようになっている。従って、上記のようにしてマウント処理に長い時間を要するということは、機器を扱っているユーザに長い待ち時間を与えることにつながる。このことから、マウント処理に要する時間については可能な限り短縮されることが好ましい、ということがいえる。
【課題を解決するための手段】
【０００８】
そこで本発明は、上記した課題を考慮して、記憶媒体対応処理装置として次のように構成する。
つまり、記憶媒体の装填部に装填された所定の物理フォーマットの記憶媒体をソフトウェア階層で操作可能なように認識するための記憶媒体認識処理として、物理フォーマットの下で採用可能に規定される２以上の所定の論理フォーマットごとに個別に対応した記憶媒体認識処理である、論理フォーマット別認識処理を順次実行していくようにされた認識処理手段と、過去において装填部に装填された記憶媒体を対象として実行された所定の処理の結果により特定されたとする論理フォーマットの履歴を示す特定論理フォーマット履歴情報を、所定の処理が実行されるのに応じて作成する作成手段と、特定論理フォーマット履歴情報が保持される記憶手段と、この記憶手段に保持されている特定論理フォーマット履歴情報において示される論理フォーマットの出現頻度に応じて、認識処理手段が実行する論理フォーマット別認識処理の順序を設定するようにされた認識処理順制御手段とを備えることとした。
【０００９】
上記構成による記憶媒体対応処理装置では、装填部に装填された所定の物理フォーマットの記憶媒体について、ソフトウェア階層で操作可能なように認識するための記憶媒体認識処理を実行するようにされる。この処理は、例えば一般にはマウントともいわれる。また、この場合の記憶媒体認識処理としては、上記所定の物理フォーマットの下で規定される２以上の論理フォーマットごとに応じた論理フォーマット別認識処理を、順次的に実行していくようにされる。
そのうえで、本願発明にあっては、特定論理フォーマット履歴情報を作成することとしている。この特定論理フォーマット履歴情報は、過去において装填部に装填された記憶媒体を対象として実行された所定の処理の結果に応じて特定されたとする、記憶媒体の論理フォーマットについての履歴を示す。そして、この特定論理フォーマット履歴情報において示される論理フォーマットの出現頻度に応じて、論理フォーマット別認識処理の実行順を設定するようにされている。
これにより、本願発明にあっては、記憶媒体認識処理における論理フォーマット別認識処理の実行順について、例えば、特定論理フォーマット履歴情報において示される論理フォーマットの出現頻度の高い順に応じて設定することが可能となる。ここで、特定論理フォーマット履歴情報は、或る所定の処理結果に応じて特定された、これまでに装填された記憶媒体についての論理フォーマットの履歴なのであるから、特定論理フォーマット履歴情報において示される論理フォーマットの出現頻度が高いということは、装置に装填される記憶媒体についての論理フォーマットの出現傾向、即ち、ユーザが使用している論理フォーマットの傾向を示しているということがいえる。従って、本願発明において設定される論理フォーマット別認識処理の実行順は、ユーザによる論理フォーマットの利用傾向に適応したものとなる。
【発明の効果】
【００１０】
このようにして、論理フォーマット別認識処理の実行順が、ユーザの論理フォーマットについての利用傾向に適応したものとされることで、記憶媒体認識処理としては、実行順が前のほうの論理フォーマット別認識処理により正常終了する確率が高くなる。つまり、記憶媒体認識処理が早期に終了する確率が高くなり、マウント処理に要する時間は総体的に短縮されることになる。このことは、ユーザにとっては、マウント処理のときの待ち時間が短くなるということであり、それだけ、機器の利便性や使いやすさが向上することになる。
【発明を実施するための最良の形態】
【００１１】
以下、本発明を実施するための最良の形態（以下、実施の形態という）について説明する。本実施の形態としては、本発明による記憶媒体対応処理装置の構成をビデオカメラ装置に適用した場合を例に挙げることとする。
【００１２】
図１は、本実施の形態としてのビデオカメラ装置１の構成例を示すブロック図である。
この図に示すビデオカメラ装置１において、カメラユニット１１は、光学ブロック１１ａ、撮像部１１ｂ及びカメラ制御部１１ｃを備えて成る。
光学ブロック１１ａは、レンズ光学系、フォーカス機構、シャッター機構、絞り（アイリス）機構などを備えて成り、入射された光を撮像光として撮像部１１ｂの受光面に結像させる。また、光学ブロック１１aにおけるフォーカス制御、シャッター制御、絞り値の可変制御などは、この場合には、カメラ制御部１１ｃから出力される駆動信号によって行われるものとしている。つまり、カメラ制御部１１ｃは、制御部１８の制御に応じて、フォーカス機構、シャッター機構、及び絞り機構などを駆動するための駆動信号を生成して出力する。この駆動信号に応じて、フォーカス機構、シャッター機構、及び絞り機構が動作することで、フォーカス状態、シャッター動作、シャッター速度、及び絞り値などが適切な状態に制御される。
【００１３】
撮像部１１ｂは、例えばＣＣＤ（Charge Coupled Device）、ＣＭＯＳセンサなどの光電変換素子を備えて成り、上記のようにして受光面にて受光した撮像光について光電変換を行う。そして、受光面にて受光された撮像光に応じて蓄積された信号電荷を、しかるべきタイミングで順次出力することで、撮像光に対応した電気信号を出力する。カメラ制御部１１ｃでは、制御部１８の制御に応じて必要とされるタイミング信号を生成して、撮像部１１ｂに対して駆動信号を出力する。撮像部１１ｂは、この駆動信号に応じたタイミングで、上記信号電荷の出力を実行する。
また、撮像部１１ｂでは、上記のようにして光電変換素子の部位から出力させた電気信号について、例えばＣＤＳ(Correlated Double Sampling)処理、ＡＧＣ(Automatic Gain Control)処理などを実行し、Ａ／Ｄ(Analog/Digital)コンバータ１２に出力する。
Ａ／Ｄコンバータ１２では、入力されたアナログの電気信号についてデジタル信号に変換する。
【００１４】
Ａ／Ｄコンバータ１２から出力された、撮像光に対応したデジタル信号は、画像信号処理部１３に供給される。画像信号処理部１３は、画像信号処理に対応するＤＳＰ(Digital Signal Processor)として構成され、入力されたデジタル信号から撮像画像に対応するデジタル画像信号を得ることをはじめとして、所要のデジタル信号処理を実行する。ここでのデジタル信号処理としては、主として、カメラ制御に対応した信号処理であるカメラ信号処理と、後述するようにして本実施の形態のビデオカメラ装置１が対応する記憶媒体であるＤＶＤ(Digital Versatile Disc)を対象として記録再生を行うための信号処理である記録再生信号処理の２つとなる。
【００１５】
カメラ信号処理は、主としては、撮像に関連して設定されたカメラユニット１１に対する制御のための各種パラメータに応じた所要の信号処理を実行する。この場合のカメラ信号処理機能が対応する撮像のパラメータには、ＡＦ(Auto Focus：自動焦点調整)制御、露出制御、ホワイトバランス処理、手ぶれ補正などを挙げることができる。
また、記録再生信号処理は、ＤＶＤに対応して少なくとも動画像データを記録再生するためのフォーマットに対応したデジタル信号処理を実行する。なお、現状において、ＤＶＤの範疇には、複数種の物理フォーマットと論理フォーマットが規定されているが、本実施の形態の撮像装置１が対応するものとされる物理フォーマットと論理フォーマットの具体例については後述する。
【００１６】
各種のＤＶＤフォーマットでは、メインの画像データ（動画像データ）とオーディオデータは所定方式による圧縮符号化が行われることが一般的である。このことに応じて、画像信号処理部１３における記録再生信号処理としては、Ａ／Ｄコンバータ１２から入力されてくるデジタル信号について圧縮符号化を行う。そして、この圧縮符号化により得られた所定形式のストリームデータをＤＶＤドライブ１５に転送する。
【００１７】
ＤＶＤドライブ１５は、リムーバブル形式のＤＶＤを装填する装填部を備え、この装填部に装填されたＤＶＤに対して、例えば制御部１８の制御に応じてデータの書き込み、読み出しなどの動作を実行する。例えば、ＤＶＤドライブ１５が、上記のようにして画像信号処理部１３から出力されたストリームデータを入力して、装填されているＤＶＤに対してデータの書き込みを実行することで、撮像により得られた画像データがＤＶＤに記録されることになる。
また、ＤＶＤに記録された画像データを再生するときには、ＤＶＤドライブ１５に対する制御部１８の制御によりＤＶＤからの読み出しを行って、この読み出したデータを画像信号処理部１３に入力させる。
【００１８】
画像信号処理部１３においては、入力されたデータについて、自身に与えられた記録再生信号処理機能により、圧縮符号化に対応する復号処理などを実行して、表示用のデジタル画像信号を得るようにされる。そして、このデジタル画像信号は、表示ドライバ１６に対して出力することができる。表示ドライバ１６では、入力される表示用のデジタル画像信号に応じて、表示部１７に対する表示のための駆動を行う。これにより、表示部１７には、ＤＶＤから再生した撮像画像が表示されることになる。なお、ここでは図示していないが、外部に対して所定形式の表示用デジタル画像信号を出力して外部の表示装置などにより画像が表示されるようにしてもよい。
また、画像信号処理部１３では、撮像時におけるモニタ画像を表示部１７に対して表示させるための信号処理も実行可能とされる。この場合には、例えばＡ／Ｄコンバータ１２から入力されてくるデジタル信号に基づいて得られたデジタル画像信号を、表示ドライバ１６に対して出力するようにされる。
なお、表示部１７として実際に採用される表示デバイスとしては、ＬＣＤ(Liquid Crystal Display)をはじめとして、各種考えることができる。
【００１９】
画像信号処理部１３は、上記のようにして各種の信号処理を実行するのにあたって、例えばＳＤＲＡＭなどにより構成されるメモリ１４を作業領域として使用する。メモリ１４に対するデータの書き込み／読み出し制御は、画像信号処理部１３内に備えられるメモリ１４対応のメモリコントローラが実行する。
【００２０】
制御部１８は、ビデオカメラ装置１における各部を制御するもので、ＣＰＵ(Central Processing Unit)１８ａ、ＲＡＭ(Random Access Memory)１８ｂ、ＲＯＭ(Read Only Memory)１８c、及び不揮発性メモリ１８ｄを備えるマイクロコンピュータとして構成される。
ＲＡＭ１８ｂは、ＣＰＵ１８ａの演算結果を一時記憶するなど、主としてＣＰＵ１８ａの作業領域として用いられる。また、ＲＯＭ１８ｃは、ＣＰＵ１８ａが実行すべきプログラムや、各種処理に必要とされる設定データなどが記憶される。このプログラムは、例えばビデオカメラ装置１の製造時において、ＲＯＭ１８ｃに書き込むことで記憶させることができる。あるいは、例えばリムーバブルの記録媒体にプログラムを記憶させておき、このリムーバブルの記憶媒体からROM１８cに対してプログラムのデータをインストールするようにして記憶させることも考えられる。
また、不揮発性メモリ１８ｄは、例えばフラッシュメモリなどをはじめとした、電源供給が停止しても記憶内容が消去されない性質のメモリ素子により形成され、ＣＰＵ１８ａの制御によって、データの書き込み/読み出しが実行される。この不揮発性メモリ１８ｄに記憶されるべきデータ(情報)としては、本実施の形態においては、論理フォーマットに関する情報が主に記憶されることとなる。ただし、不揮発性メモリ１８dは、上記情報のみでなく、他の情報を格納することとしてもよい。
【００２１】
また、操作部１９は、ビデオカメラ装置１の筐体の所要位置に備えられる各種操作子、タッチパネル、などの入力操作手段を一括して示している。操作部１９では、操作結果に応じた操作情報信号を制御部１８に出力する。制御部１８内のＣＰＵ１８ａは、入力された操作情報信号に応じて所要の制御、処理を実行する。
【００２２】
なお、一般の撮像装置としては、例えば撮影時において同時にマイクロフォンなどにより収音した音声を、撮像画像データとともに、オーディオデータとして記録可能とされている。このようなオーディオデータは、撮像画像データとの時間的同期が図られるようにして記録再生される。本実施の形態のビデオカメラ装置１の実際としても、再生時間が同期されるようにして、撮像画像データと収音音声データとをストリームデータに多重化して記録するようにされる。しかしながら、図１においては、説明を簡単なものとすることの便宜上、音声情報の記録再生系については省略している。
【００２３】
上記のようにして、本実施の形態のビデオカメラ装置１としては、撮像画像の情報をＤＶＤに記憶させることが可能とされているが、現状として、このＤＶＤの範疇にあっては、複数種類の物理フォーマットと論理フォーマットが存在している。なお、ここでいう物理フォーマットとは、例えばディスク上記億媒体であれば、物理的な信号面の組成、トラックフォーマットなどの物理的な規格を規定したものとされる。これに対して、論理フォーマットとは、所定の物理フォーマットのうえで規定される、論理的な記憶領域構造などを規定したものとされる。そして、本実施の形態のビデオカメラ装置１としては、ＤＶＤ対応として、複数種類の物理フォーマットに対応しており、かつ、所定の物理フォーマットに対応しては、さらに複数種類の論理フォーマットに対応可能なようにされている。そこで、図２により、本実施の形態のビデオカメラ装置１が対応するＤＶＤのフォーマットについての具体例を示しておくこととする。
【００２４】
図２に示されるようにして、本実施の形態のビデオカメラ装置１は、先ず、物理フォーマットについては、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭの６種類に対応可能とされている。確認のために述べておくと、ＤＶＤ−ＲＯＭは再生専用であり、ＤＶＤ−Ｒ及びＤＶＤ＋Ｒは、データの記録は可能であるが、書込済み領域に対する書き換えは不可の、いわゆる追記型とされる。また、ＤＶＤ−ＲＷ、ＤＶＤ＋ＲＷ、及びＤＶＤ−ＲＡＭは、書き換え可能な形式とされる。
そして、上記物理フォーマットごとに対応する論理フォーマットとしては、次のようになる。
先ず、ＤＶＤ−ＲＯＭについては、ＤＶＤ−Ｖｉｄｅｏのみが対応する。ＤＶＤ−Ｒ、ＤＶＤ＋Ｒについては、それぞれ、ＤＶＤ−ＶｉｄｅｏとＡＶＣＨＤの２種が対応可能とされる。ＤＶＤ−ＲＷについては、ＤＶＤ−Ｖｉｄｅｏ、ＤＶＤ−Ｖｉｄｅｏ Ｒｅｃｏｒｄｉｎｇ Ｆｏｒｍａｔ（以降、この論理フォーマットについては「ＤＶＤ−ＶＲ」ともいう）、及びＡＶＣＨＤの３種類が対応可能とされる。ＤＶＤ＋ＲＷについては、例えばこの場合には、ＤＶＤ＋ＲＷ Ｖｉｄｅｏ Ｒｅｃｏｒｄｉｎｇ Ｆｏｒｍａｔ（以降、この論理フォーマットについては、「ＤＶＤ＋ＶＲ」ともいう）、ＡＶＣＨＤの２種が対応可能とされる。ＤＶＤ−ＲＡＭについては、ＤＶＤ−ＶＲのみが対応する。
【００２５】
本実施の形態のビデオカメラ装置１としては、上記図２に示される物理フォーマット、論理フォーマットの組み合わせに対応可能なようにして、ＤＶＤドライブ１５、画像信号処理部１３における記録再生信号処理系、及びＣＰＵ１８ａが実行すべきプログラム等が構成されるべきことになる。
例えば、先ず、ＤＶＤドライブ１５については、物理フォーマットごとに対応したレーザパワー、サーボ制御、及びドライバ層の処理などが可能なようにして構成されるべきことになる。
また、例えば、ＤＶＤ−Ｖｉｄｅｏ、ＤＶＤ−ＶＲ、ＤＶＤ＋ＶＲなどでは、ＭＰＥＧ２による圧縮符号化方式を採用している。これに対して、ＡＶＣＨＤは、ハイビジョンなどといわれる、より高品質の画像を記録するフォーマットとされており、圧縮符号化方式には、ＭＰＥＧ４−ＡＶＣ／Ｈ．２６４が採用される。そこで、画像信号処理部１３としては、少なくとも、例えば圧縮符号化に対応するコーデックについて、各論理フォーマットに応じた信号処理が可能なようにして構成されるべきことになる。
また、プログラムに関しては、各種所要の機能を有するプログラム部分について、複数の論理フォーマット種別に対応させた設計を行うべきことになる。そして、このような論理フォーマット種別への対応化が図られるべきプログラム部分の１つとして、本実施の形態では、マウント処理のためのプログラムが在ることになる。
【００２６】
ここでいうマウント処理とは、いわゆるメディア認識といわれる処理である。つまり、本実施の形態の場合であれば、ビデオカメラ装置１に実装されるソフトウェア階層に、ＤＶＤドライブ１５に装填されたＤＶＤを、例えばディレクトリ構造により認識させるための処理となる。
なお、このマウントといわれる処理は、例えばパーソナルコンピュータシステムなどであれば、ＯＳ(Operating System)の階層により、自動的に、あるいはコマンドの入力に応じて実行するようにされており、本実施の形態のビデオカメラ装置１においても、ＣＰＵ１８ａが、例えばＯＳ機能に対応するプログラムを実行することにより実現される。
【００２７】
また、マウント処理は、一般的には、マウント処理対象の記憶媒体の論理フォーマットに応じて規定されるファイルシステムフォーマット、及び記憶領域の論理構造に従って、記憶媒体上の所定の管理情報領域に対するアクセス命令を行って管理情報などの読み込みを実行し、その読み込んだ情報を解釈することによって実現される。
そして、一般には、論理フォーマットが異なれば、ファイルシステムのバージョンや方式、また、記憶媒体に形成される記憶領域の論理構造なども異なってくることから、これに伴って、マウント処理時に実行すべき制御の手順内容も異なってくることになる。このために、複数の論理フォーマットに対応可能とするためには、マウント処理のプログラムとして、それぞれの論理フォーマットに適合するようにして個々に設計されたアルゴリズムを実装する必要があることになる。
【００２８】
本実施の形態の場合であれば、論理フォーマットとしては、６種の物理フォーマットに対して、ＤＶＤ−Ｖｉｄｅｏ、ＤＶＤ−ＶＲ、ＤＶＤ＋ＶＲ、ＡＶＣＨＤの４種の論理フォーマットが存在するのであるが、参考までに、これらの論理フォーマットの間での主要な相違点を下記に挙げておくこととする。
先ず、ＤＶＤ−Ｖｉｄｅｏについては、ファイルシステムは、ISO9660/UDF(Universal Disc Format)1.02のブリッジフォーマットとされ、ルートディレクトリにVIDEO_TSのディレクトリが存在する。
ＤＶＤ−ＶＲは、ファイルシステムがUDF2.00であり、ルートディレクトリにDVD_RTAVが存在する。
ＤＶＤ＋ＶＲは、ファイルシステムがISO9660/UDF(Universal Disc Format)1.02のブリッジフォーマットとされ、この点では、ＤＶＤ−Ｖｉｄｅｏと共通であるものの、ルートディレクトリに、VIDEO_RM、VIDEO_TSの両者のディレクトリが存在する点が異なる。
ＡＶＣＨＤは、ファイルシステムがUDF2.50であり、ルートディレクトリにBDMVが存在する。
本実施の形態におけるマウント処理のプログラムとしては、例えば上記したことをはじめとする論理フォーマット間での相違点に応じて、論理フォーマットごとに個別に設計したアルゴリズムによるプログラム要素を実装することになる。
【００２９】
このようにして、本実施の形態では、対応すべき複数種類の論理フォーマットごとに個別に適合させたアルゴリズムによるマウント処理（論理フォーマット別マウント処理：論理フォーマット別認識処理）を実行可能に構成されることになる。すると、この場合においては、装填されたＤＶＤの物理フォーマットが複数の論理フォーマットに対応可能とされている場合において、上記論理フォーマット別マウント処理をどのような順序で実行すべきか、ということについて考慮する必要が生じることになる。
【００３０】
つまり、本実施の形態のビデオカメラ装置１のＤＶＤドライブ１５に対して、新たにＤＶＤが装填されたとすると、先ずは、ＤＶＤドライブ１５における物理フォーマットの認識動作により、装填されたＤＶＤの物理フォーマットが認識される。マウント処理は、この物理フォーマットの認識結果が得られたことに応じて、はじめて実行するようにされる。
【００３１】
例えば、認識された物理フォーマットがＤＶＤ−ＲＯＭやＤＶＤ−ＲＡＭであるとする。これらの物理フォーマットについては、図２に示したように、対応する論理フォーマットは１つのみとされている。従って、マウント処理としては、この対応している１つの論理フォーマットに適合したアルゴリズムにより実行すればよく、通常であれば、この１回の論理フォーマット別マウント処理により、マウントが成功して正常終了することになる。
【００３２】
これに対して、認識された物理フォーマットが、上記ＤＶＤ−ＲＯＭ、ＤＶＤ−ＲＡＭ以外のＤＶＤ−Ｒ、ＤＶＤ＋Ｒ、ＤＶＤ−ＲＷ、ＤＶＤ＋ＲＷ等とされる場合であるが、これらの物理フォーマットには、２以上の論理フォーマットが対応可能とされている。しかしながら、例えばシステムの仕様などにより、物理フォーマットの認識段階では未だ論理フォーマットが認識できないこととされている場合、マウント処理としては、候補となる論理フォーマットごとに対応する論理フォーマット別マウント処理を、総当たり的に順次試行していくようにする必要がある。
このときに、どのような順番を設定して論理フォーマット別マウント処理を実行していくのかということを決める必要があることになる。
【００３３】
論理フォーマット別マウント処理の実行順を設定するための、順当な手法の１つとしては、例えば、予め適当に論理フォーマット別マウント処理の順番を決定しておくことが考えられる。そして、実際においては、例えばＲＯＭなどに、物理フォーマットごとに応じて、論理フォーマット別マウント処理の実行順を指定した情報を記憶させておくようにする。そして、マウント処理時にこの指定情報を読み込みを行い、指定通りの実行順により論理フォーマット別マウント処理を１回ずつ試行していくものである。
一例として、認識された物理フォーマットがＤＶＤ−ＲＷであるとする。この場合、論理フォーマットとしては、ＤＶＤ−Ｖｉｄｅｏ、ＤＶＤ−ＶＲ、ＡＶＣＨＤの３種が候補となるが、設定情報を参照すると、ＤＶＤ−Ｖｉｄｅｏ、ＤＶＤ−ＶＲ、ＡＶＣＨＤの順で、論理フォーマット別マウント処理を実行していくように指定されていたこととする。この場合において、例えば装填されたＤＶＤ−ＲＷの論理フォーマットが実はＡＶＣＨＤであったとすると、１回目と２回目の論理フォーマット別マウント処理は、それぞれＤＶＤ−Ｖｉｄｅｏ、ＤＶＤ−ＶＲに適合しており、いずれもＡＶＣＨＤには適合していないので、いずれの回もエラーとなる。そして、３回目のＡＶＣＨＤに適合した論理フォーマット別マウント処理が実行されると、この段階でマウントが成功することになる。
このようにして、予め論理フォーマット別マウント処理の試行順を設定しておき、実際のマウント処理時には、この試行順に従って論理フォーマット別マウント処理を行っていくこととすれば、対応可能な論理フォーマットにより初期化さえされていれば、最終的にマウントが成功することになるものである。
【００３４】
しかし、このようなマウント処理手順では、次のような問題を生じ得ることになる。
例えば、上記で例に挙げたＤＶＤ−ＲＷについて、ユーザが好んで頻繁に使用する論理フォーマットが、ＡＶＣＨＤであるとする。また、ＤＶＤ−ＲＷについて予め設定された論理フォーマット別マウント処理の試行順も、上記と同じＤＶＤ−Ｖｉｄｅｏ、ＤＶＤ−ＶＲ、ＡＶＣＨＤであるとする。
すると、このユーザが、ＡＶＣＨＤにより初期化したＤＶＤ−ＲＷをビデオカメラ装置１に装填したときには、３回目（最後）の論理フォーマット別マウント処理を以てマウント処理が完了することになる。ユーザは、ＡＶＣＨＤの論理フォーマットを好んで使用しているのであるから、ユーザがＤＶＤを装填したときに、最後の論理フォーマット別マウント処理まで実行してマウントが完了することになる場合も可能性としては多くなる。
【００３５】
実際において、１回の論理フォーマット別マウント処理は、相応の時間を要する。特に、ＤＶＤなどのようにしてディスク状記憶媒体である場合には、アクセスに際して、読み出しのためのレーザ光の照射位置と信号面との相対的位置についての物理的な移動を伴うことから、例えば半導体メモリ素子などの記憶媒体種別と比較すれば、より多くの時間を要することになる。
そのうえで、上記のようにして、マウント処理が完了するのが、最後若しくはこれに近い回での論理フォーマット別マウント処理のタイミングとなってしまうと、マウント処理全体に要する時間としては、さらに長いものとなってしまうことになる。
【００３６】
例えば撮像画像の記録再生などをはじめとする操作は、マウント処理が完了するまでは行うことができない。従って、ＤＶＤが装填されてマウント処理が完了するまでの時間は、ユーザにとっては、単純に待ち時間となる。すると、上記のようにして、ユーザが好んで良く使用する論理フォーマットについての論理フォーマット別マウント処理の実行順が後のほうに設定されているような状況となると、ＤＶＤを装填して操作が可能になるまでの待ち時間が相当に長くなってしまう可能性が高くなる。このような状況は、例えばユーザにストレスを与えることになり、また、機器の使い安さも阻害する要因となり得ることから、改善されることが好ましい。
【００３７】
そこで、本願発明としては、以降説明するようにして、ユーザが使用する論理フォーマットの傾向にできるだけ合致するようにして論理フォーマット別マウント処理の実行順が設定されるようにするための構成を提案し、これにより、マウント処理が完了するまでの待ち時間ができるだけ短縮されるようにするものである。以下、この点について説明を行っていく。
【００３８】
上記のようにして論理フォーマット別マウント処理の実行順を、ユーザが使用する論理フォーマットの傾向に合致させるために、本実施の形態としては先ず、図３に示されるようにして、所定のＤＶＤの物理フォーマットごとに対応させたマウント履歴情報を作成し、例えば制御部１８における不揮発性メモリ１８ｄにて保持するようにされる。この図においては、ＤＶＤの物理フォーマットとして、ＤＶＤ−Ｒ、ＤＶＤ＋Ｒ、ＤＶＤ−ＲＷ、及びＤＶＤ＋ＲＷに対応した４つのマウント履歴情報が示されている。
なお、残る２つの物理フォーマットであるＤＶＤ−ＲＯＭ、ＤＶＤ−ＲＡＭについてのマウント履歴情報については特に作成保持する必要性はないために、ここでは省略されている。後述するようにして、マウント履歴情報は、対応する物理フォーマットのＤＶＤについてマウント処理を実行するときの論理フォーマット別マウント処理の実行順を決定するために、そこに示される論理フォーマットの出現頻度が参照されるものである。従って、マウント履歴情報は、ＤＶＤ−Ｒ、ＤＶＤ＋Ｒ、ＤＶＤ−ＲＷ、及びＤＶＤ＋ＲＷのようにして、２以上の論理フォーマットが対応するものについて作成することに意味があることになり、対応する論理フォーマットが１つのみとなるＤＶＤ−ＲＯＭ、ＤＶＤ−ＲＡＭについては、マウント履歴情報を作成することの必要性は特に無いということになる。
【００３９】
そして、図２に示されるマウント履歴情報は、対応する物理フォーマットのＤＶＤが装填されたときに実行されたマウント処理において成功した論理フォーマット別マウント処理の論理フォーマットについての過去の履歴を示す情報とされる。つまり、マウント処理によっては、或る段階の論理フォーマット別マウント処理が成功したことで、結果的に、そのときに装填されているＤＶＤの論理フォーマットが特定されることになると考えることができるが、この点からすると、マウント履歴情報は、対応する物理フォーマットのＤＶＤを対象としたマウント処理により特定された論理フォーマットの履歴を示しているものである、ということがいえる。
【００４０】
上記マウント履歴情報の構造、内容の一例を、図４（ａ）に示す。この図には、図３に示される４つのマウント履歴情報のうち、ＤＶＤ−ＲＷのマウント履歴情報の例を示している。
図４（ａ）に示されるようにして、この場合のマウント履歴情報としては、Ｎｏ１〜Ｎｏ１０までの履歴項目を有するようにされる。ここでは、履歴項目Ｎｏ１が、ＤＶＤ−ＲＷについての最後のマウント処理に対応し、以降、履歴項目Ｎｏ２〜履歴項目Ｎｏ１０にまでが、１回ずつ過去に遡って実行されたＤＶＤ−ＲＷについてのマウント処理に対応する。そして、履歴項目Ｎｏ１〜履歴項目Ｎｏ１０ごとに対応させて、そのときのマウント処理の結果により特定された論理フォーマットを示す情報を格納、登録するようにされる。
物理フォーマットがＤＶＤ−ＲＷである場合、対応可能な論理フォーマットは、ＤＶＤ−Ｖｉｄｅｏ、ＤＶＤ−ＶＲ、及びＡＶＣＨＤの３つとなることから、履歴項目Ｎｏ１〜履歴項目Ｎｏ１０に対しては、これら３つのうちのいずれか１つを示す情報が登録されることになる。また、例えば図４（ａ）に示される状態において、新たにＤＶＤ−ＲＷについてのマウント処理が実行された場合には、このマウント処理結果により特定された論理フォーマットを示す情報が、履歴項目Ｎｏ１に登録され、これまでに履歴項目Ｎｏ１〜履歴項目Ｎｏ９に登録されていた情報が、それぞれ履歴項目Ｎｏ２〜履歴項目Ｎｏ１０に登録されるようにしてシフトされる。また、これまでに履歴項目Ｎｏ１０に登録されていた情報については破棄される。つまり、この図に示されるマウント履歴情報としては、対応する物理フォーマットのＤＶＤについての、直近１０回分のマウント処理の結果が示されていることになる。
【００４１】
また、図４においては、上記図４（ａ）とともに、図４（ｂ）にも、同じＤＶＤ−ＲＷについてのマウント履歴情報が示されている。この図４（ｂ）に示されるマウント履歴情報は、図４（ａ）のマウント履歴情報が、或る過去における内容のものであるとして、それから、例えば数週間、数ヶ月程度の比較的長い期間を経過したときの内容を示しているものとされる。
例えば図４（ａ）のマウント履歴情報によると、論理フォーマットの登録数については、ＤＶＤ−Ｖｉｄｅｏが１つ、ＤＶＤ−ＶＲが７つ、ＡＶＣＨＤが２つとなっている。これに対して、図４（ｂ）においては、ＤＶＤ−Ｖｉｄｅｏが５つ、ＤＶＤ−ＶＲが３つ、ＡＶＣＨＤが２つとなっている。
この内容を比較してみると、図４（ａ）に対応する過去の時期においては、ＤＶＤ−ＶＲにより初期化されたＤＶＤ−ＲＷがビデオカメラ装置１に装填される頻度が最も高かったのに対して、図４（ｂ）に対応する時期においては、ＤＶＤ−ＶＲよりも、ＤＶＤ−Ｖｉｄｅｏにより初期化されたＤＶＤ−ＲＷがビデオカメラ装置１に装填される頻度が高くなるようにして、その傾向が変化しているということが推定される。このことは、即ち、本実施の形態のビデオカメラ装置１のユーザが、ＤＶＤ−ＲＷを記憶媒体として利用するときの傾向として、以前は、論理フォーマットとして、ＤＶＤ−ＶＲをよく利用していたが、その後は、ＤＶＤ−Ｖｉｄｅｏをよく使用するようになってきている、ということを示しているものであるといえる。
つまり、マウント履歴情報について直近の所定回数分の情報のみを有する構造とすることによっては、時期の経過に応じたユーザの論理フォーマットの使用傾向の変化が適切に反映されることになるものである。
【００４２】
なお、確認のために述べておくと、残るＤＶＤ−Ｒ、ＤＶＤ＋Ｒ、ＤＶＤ＋ＲＷに対応するマウント履歴情報についても、上記図４（ａ）（ｂ）に示される構造により、直近における所定回数分のマウント処理結果により特定された論理フォーマットを示す情報が登録されるようになっている。
また、図４においては、マウント履歴情報について、直近１０回分の履歴項目を設けることとしているが、直近における何回分の履歴項目によりマウント履歴情報を形成するのかということについては、実際の使用などを考慮した各種条件などに応じて適宜変更されて構わないものである。また、必ずしも、ＤＶＤ−Ｒ、ＤＶＤ＋Ｒ、ＤＶＤ−ＲＷ、ＤＶＤ＋ＲＷの間で（つまり、異なる物理フォーマット間で）同じ履歴項目数にすべき必要性もないものである。
【００４３】
そして、本実施の形態のビデオカメラ装置１がマウント処理を実行するのにあたり、複数の論理フォーマットが対応する物理フォーマットのＤＶＤについてマウント処理を実行するのにあたっては、上記マウント履歴情報を利用して論理フォーマット別マウント処理の実行順を決定するようにされる。そこで、続いては、図５のフローチャートを参照して、マウント処理のための手順例について説明を行うこととする。なお、この図に示す処理手順は、図１に示す制御部１８におけるＣＰＵ１８ａが、例えばＲＯＭ１８ｃ、あるいは不揮発性メモリ１８ｄに記憶されるプログラムを実行して各部を制御し、また、この制御に応じて図１に示される所定の機能ブロックが動作を実行することで実現されるものである。
また、このようなプログラムは、例えば製造時おいてＲＯＭに書き込んで記憶させるほか、例えば本実施の形態であれば、ＤＶＤなどのリムーバブルの記憶媒体に記憶させておいて、後から、この記憶媒体を使用してインストールするようにして不揮発性メモリ１８ｄなどに対して記憶させることができる。また、ネットワーク上のサーバなどにおける記憶装置に記憶させておき、ネットワーク経由でダウンロードするようにして取得してビデオカメラ装置１にインストールさせるようなことも考えられる。
【００４４】
例えば本実施の形態のビデオカメラ装置１のＤＶＤドライブ１５により、ＤＶＤの装填部に対して、新たにＤＶＤが装填されたことが検知されたとすると、この図５に示すマウント処理の手順が開始されることになる。
先ず、上記のようにしてＤＶＤドライブ１５の装填部に対してＤＶＤが装填されたとすると、ＤＶＤドライブ１５においては、この装填されたＤＶＤを所定の手順により駆動して、例えば所定の領域にレーザ光を照射して情報を検出するなどして、その物理フォーマットについての検出を行うようにされる。この図における最初の手順であるステップＳ１０１としては、例えばＣＰＵ１８ａが、ＤＶＤドライブ１５により検出された物理フォーマットを示す情報を取り込むことにより、装填されたＤＶＤの物理フォーマットを認識するようにされる。
【００４５】
次に、ステップＳ１０２により、装填されたＤＶＤが初期化済みであるか否かについて判別する。ここでの初期化とはフォーマットともいわれるもので、記憶媒体に対して、所定の論理フォーマットに応じた論理構造による領域設定を行う処理のこととされる。なお、装填されているＤＶＤが初期化済みであるか否かについては、例えば、ＤＶＤドライブ１５が物理フォーマット認識のための動作を実行した過程において、ＤＶＤにおける一部所定の領域についての情報の検出を行うことに基づいて判定することが可能とされる。
【００４６】
そして、ステップＳ１０２において初期化済みではない、つまり、未だ初期化がされていないとして判定されたことで否定の判別結果が得られた場合には、そのままステップＳ１１１としての初期化対応処理に進むようにされる。なお、このステップＳ１１１としての初期化対応処理がどのようなものであるのかについては後述する。
これに対して、ステップＳ１０２において装填されたＤＶＤが初期化済みであるとして肯定の判別結果が得られた場合には、ステップＳ１０３以降の手順に進むことになる。
【００４７】
ステップＳ１０３においては、先のステップＳ１０１にて判定された物理フォーマットに対応する「有効なマウント履歴情報」が、不揮発性メモリ１８ｄに記憶保持されているか否かについて判別することとしている。つまり、ここでは、マウント履歴情報についての単純な有無についてのみではなく、その有効性についても加味したうえでの有無を判定することとしている。マウント履歴情報の有効性、無効性については、例えば次のようなことを条件、基準として判定することができる。
先ず、先に図３によっても説明したように、マウント履歴情報としては、対応する論理フォーマットが複数存在する物理フォーマットのものしか記憶保持しないようにしている。従って、例えばステップＳ１０１により判定された物理フォーマットがＤＶＤ−ＲＯＭあるいはＤＶＤ−ＲＡＭなどのようにして、１つの論理フォーマットしか対応していない場合には、マウント履歴情報そのものが記憶保持されていないことになる。つまり、マウント履歴情報としては無効性をもつことと同義となる。
また、例えば対応する論理フォーマットが複数存在する物理フォーマットであって、マウント履歴情報が保持されているとしても、その登録数が、例えば１つのみであったりするなど、規定の登録数を満たしていない場合もあると考えられる。このような場合においては、マウント履歴情報が示す論理フォーマットの出現頻度については信頼性が低いものとして捉えることとして、無効なマウント履歴情報として扱うようにすることが考えられる。もちろん、このような登録数の規定を設けることなく、実際の論理フォーマットの登録数が、全履歴項目数（図４では１０個である）に満たないとしても、有効であるとして扱ってもよいものである。
【００４８】
ステップＳ１０３において、有効なマウント履歴情報が記憶保持されているとして肯定の判別結果が得られた場合においては、ステップＳ１０４に進む。
そして、ステップＳ１０４においては、マウント履歴情報を利用して、論理フォーマット別マウント処理の実行順を指示する実行順指示情報を作成し、これを例えばＲＡＭ１８ｂなどに保持させるための処理を実行するようにされる。
【００４９】
ここで、図６のフローチャートにより、上記図５のステップＳ１０４としての実行順指示情報作成、保持のための手順例について説明する。
図６においては、先ずステップＳ２０１により、図５のステップＳ１０３に対応して、不揮発性メモリ１８ｄに記憶保持されていることが確認されたマウント履歴情報を参照する。そして、登録数の多い順に従って、論理フォーマット別マウント処理の実行順を、１番目から設定するようにされる。例えば、このステップＳ２０１において参照するマウント履歴情報が、図４（ｂ）のＤＶＤ−ＲＷのものであるとすると、ステップＳ２０１の処理の結果としては、１番目がＤＶＤ−Ｖｉｄｅｏ、２番目がＤＶＤ−ＶＲ、３番目がＡＶＣＨＤとなるようにして、実行順を設定することになる。
【００５０】
次のステップＳ２０２においては、論理フォーマット別マウント処理の実行順が設定されていない論理フォーマットが残っているか否かについて判別することとしている。
例えば、上記図４（ｂ）を例とした場合には、ＤＶＤ−ＲＷに対応する３つの全ての論理フォーマットについての論理フォーマット別マウント処理の実行順が設定される結果となる。この場合には、ステップＳ２０２において否定の判別結果が得られることになり、ステップＳ２０４に進むようにされる。
これに対して、例えば仮に、ＤＶＤ−ＲＷのマウント履歴情報において、ＤＶＤ−ＲＷに対応する３つの論理フォーマットのうちの、１つのみ、あるいは２つのみが登録されているような状況となることも可能性として当然考えられる。この場合には、ステップＳ２０１の処理によっては、ＤＶＤ−ＲＷに対応する全ての論理フォーマットについての論理フォーマット別マウント処理の実行順を設定することにはならず、実行順が設定されない論理フォーマットが残ることになる。このような場合には、ステップＳ２０２において肯定の判別結果が得られることとなり、ステップＳ２０３の手順を実行したうえで、ステップＳ２０４に進むことになる。
【００５１】
ステップＳ２０３においては、未だ実行順が設定されずに残っている論理フォーマットについて、予め定めた所定の規則に従って、実行順を設定する。確認のために述べておくと、ここでの実行順は、ステップＳ２０１により設定した実行順に続けるべきものとして設定するものとなる。また、ここでの実行順の設定規則としては、後述するデフォルトの実行順指示情報が示す実行順に従うものとすることなどが考えられる。
【００５２】
そして、ステップＳ２０４に至った段階では、判定された物理フォーマットに対応する全ての論理フォーマットについての実行順が設定されていることになる。そこで、ステップＳ２０４においては、これまでの処理過程により設定された実行順に従い、論理フォーマット別マウント処理の実行順を指示する実行順指示情報を作成するようにされる。そして、この作成した実行順指示情報を、例えばＲＡＭ１８ｂなどに書き込んで保持させるようにする。
【００５３】
ここで、上記図６の手順に従って作成された実行順指示情報の内容例を図７に示しておくこととする。この図に示される実行順指示情報は、図４（ｂ）に示したＤＶＤ−ＲＷのマウント履歴情報を、ステップＳ２０１により参照したとする場合に作成される内容のものとされる。
つまり、先にも例として述べたように、図６の手順において、図４（ｂ）に示されるマウント履歴情報を参照した場合においては、論理フォーマット別マウント処理の実行順は、１番目がＤＶＤ−Ｖｉｄｅｏ、２番目がＤＶＤ−ＶＲ、３番目がＡＶＣＨＤとして設定されることになる。これに応じて、図７に示される実行順指示情報としても、同様にして、１番目がＤＶＤ−Ｖｉｄｅｏ、２番目がＤＶＤ−ＶＲ、３番目がＡＶＣＨＤの順で論理フォーマット別マウント処理を実行すべきことを示す内容を有するようにされる。
【００５４】
説明を図５に戻す。
ステップＳ１０３において、有効なマウント履歴情報が記憶保持されていないとして否定の判別結果が得られた場合には、ステップＳ１０５に進むようにされる。ステップＳ１０３において否定の判別結果が得られた場合、ステップＳ１０４のようにして、マウント履歴情報を利用した実行順指示情報の作成を行うことはできない。このような場合に対応して、本実施の形態のビデオカメラ装置１では、例えばＲＯＭ１８ｃあるいは不揮発性メモリ１８ｄに対して、予め、適当な実行順を設定したデフォルトの実行順指示情報を、複数の論理フォーマットに対応する物理フォーマット（ＤＶＤ−Ｒ、ＤＶＤ＋Ｒ、ＤＶＤ−ＲＷ、ＤＶＤ＋ＲＷ）ごとに記憶保持させておくようにしている。そこで、ステップＳ１０５においては、先のステップＳ１０１にて判定された物理フォーマットに対応するデフォルトの実行順指示情報の読み込みを行って、これをＲＡＭ１８ｂに保持するようにされる。
【００５５】
ステップＳ１０４あるいはステップＳ１０５の手順を経たことで、ＲＡＭ１８ｂには、実行順指示情報が保持されていることになる。以降のステップＳ１０６からの手順は、このＲＡＭ１８ｂに保持させた実行順指示情報に基づいて、実際にマウント処理を実行していくための処理となる。
【００５６】
先ずステップＳ１０６においては、現在の論理フォーマット別マウント処理の実行順を示す変数ｎについて初期値である１を代入する。そのうえで、ステップＳ１０７以降の手順に進むようにされる。
ステップＳ１０７においては、ＲＡＭ１８ｂに保持されている実行順指示情報において示される、実行順がｎ番目の論理フォーマット別マウント処理を実行し、次のステップＳ１０８により、この直前のステップＳ１０７による論理フォーマット別マウント処理が成功したか否かについて判別することとしている。
ここで、例えば実際に装填されたＤＶＤの論理フォーマットと、今回のステップＳ１０７による論理フォーマット別マウント処理が対応する論理フォーマットとが相違している場合、この論理フォーマット別マウント処理の結果としてはエラーとなり、ステップＳ１０８にて否定の判別結果が得られることになる。この場合には、先ず、ステップＳ１０９により、現在設定されている変数ｎが最大値であることが判別されるまで、ステップＳ１１０により変数ｎについてインクリメントを行ってステップＳ１０７に戻るようにされる。つまり、或る実行順による１回の論理フォーマット別マウント処理がエラーとなったことに応じて、実行順指示情報が示す、次の実行順の論理フォーマット別マウント処理を実行するものである。そして、このようにして実行順指示情報が示す実行順に従って論理フォーマット別マウント処理を実行していくことで、そのときの論理フォーマットが、実際に装填されたＤＶＤの論理フォーマットに一致することとなり、論理フォーマット別マウント処理が成功してステップＳ１０８により肯定の判別結果が得られることになる。なお、マウント処理は、ステップＳ１０８において肯定の判別結果が得られたことに応じて完了することになる。そして、このようにしてマウント処理が完了したとされると、ステップＳ１１２に進む。
【００５７】
ステップＳ１１２においては、今回のマウント処理により特定されたとする論理フォーマットを、マウント履歴情報に新規登録する。このためには、不揮発性メモリに保持されているマウント履歴情報のうちで、ステップＳ１０１にて判定された物理フォーマットに対応するマウント履歴情報にアクセスして、このマウント履歴情報に対して新規登録のための書き換え処理を実行するようにされる。
【００５８】
また、ステップＳ１０８において否定の判別結果が得られたことに応じて、論理フォーマット別マウント処理を順次試行していった結果として、その物理フォーマットに対応するはずの全ての論理フォーマットについての論理フォーマット別マウント処理を実行したのにもかかわらずマウント処理が成功しなかった場合には、ステップＳ１０９にて肯定の判別結果が得られることとなる。
上記のようにしてステップＳ１０９にて肯定の判別結果が得られてしまう状況となる場合としては、例えば、装填されたＤＶＤが、本実施の形態のビデオカメラ装置１では対応不可とされる、特殊な論理フォーマットにより初期化されている場合などが考えられる。あるいは、対応可能な論理フォーマットにより初期化が済んではいるものの、何らかの原因によって、マウントのためにアクセスすべき領域に書き込まれているデータが破壊されてしまっているような状況である場合も考えることができる。つまりは、装填されたＤＶＤが、本実施の形態のビデオカメラ装置１によっては、マウント処理を正常に終了させることができないような、不正な初期化状態であるとみなされる場合である。そこで、このような場合には、ステップＳ１０２にて初期化済みではないとして判別された場合と同様に、ステップＳ１１１としての初期化対応処理を実行するようにされる。初期化対応処理についての具体的な内容については後述するが、初期化対応処理によっては、ユーザ操作に応じて、装填されているＤＶＤの初期化を実行することが可能とされる。
【００５９】
これまでの説明によると、本実施の形態のビデオカメラ装置１では、直近の過去における所定回数分のマウント処理により特定された論理フォーマットの履歴を示すマウント履歴情報を作成して保持するようにされる。そして、マウント処理を実行するときには、このマウント履歴情報を利用して論理フォーマット別マウント処理の実行順を決定したうえで、実際のマウント処理を進行させていくようにされる。
マウント履歴情報に基づいて決定される論理フォーマット別マウント処理の実行順は、現在における、ユーザの論理フォーマットの使用傾向を反映しているものとして捉えることができる。従って、実際において、ユーザが装填したＤＶＤに対するマウント処理としては、最初あるいは始めのほうの実行順で行われる論理フォーマット別マウント処理により完了する確率が高くなる。このことは、マウント処理に要する時間が、全般的に短縮される傾向となることを意味する。そして、マウント処理に要する時間が短縮されることとなれば、ビデオカメラ装置１を利用するユーザにとっての待ち時間が短縮されることになり、使い易さなどが向上することになる。
【００６０】
ところで、これまでの説明から理解されるように、マウント履歴情報は、直近所定回数のマウント処理の結果として特定された論理フォーマットの履歴を示すものであり、これは、上記もしているように、ユーザが使用するＤＶＤについて、どの論理フォーマットが好まれて使用されているのかを示している、ということを意味しているといえる。
このことからすると、マウント履歴情報は、マウント処理における論理フォーマット別マウント処理の実行順の決定以外にも、論理フォーマットについてのユーザの使用頻度、使用傾向が関わるとされる所定の機器動作が実行される際に利用することも有用であると考えられる。そこで、本実施の形態としては、マウント処理以外の機器動作として、ＤＶＤ初期化のための操作をユーザに行わせる場合にも、マウント履歴情報を利用することを提案する。以下、この点について説明する。
【００６１】
本実施の形態のビデオカメラ装置１が装填されたＤＶＤについての初期化を実行するのにあたっては、原則として、ＤＶＤ初期化に関する操作をユーザが行うためのＧＵＩ（Graphical User Interface）画面である、ＤＶＤ初期化画面を、表示部１７に表示させることとしている。ユーザがこのＤＶＤ初期化画面に対する操作を行うことに応じて、そのときに装填されているＤＶＤについての初期化がしかるべき処理手順を以て実行されることとなる。
ここで、本実施の形態のビデオカメラ装置１が上記ＤＶＤ初期化画面を表示させる場合としては、例えば次の２つの場合を挙げることができる。
１つは、先の図５のフローチャートに示される手順において、ステップＳ１１１としての初期化対応処理に至ることとなった場合である。つまり、先に説明したように、装填されたＤＶＤについて初期化済みとされていない場合、あるいは不正な初期化の状態にあるとされる場合である。ステップＳ１１１の手順内容については、後述するが、初期化対応処理の流れにおいては、このＤＶＤ初期化画面を表示させることとしているものである。
また、もう１つは、ユーザ自身の意図として、ＤＶＤを初期化しようと思い、ビデオカメラ装置１に対して、ＤＶＤ初期化画面を呼び出すための操作を行った場合である。このような操作が行われた場合においても、ビデオカメラ装置１としては、図５におけるステップＳ１１１と同じ、初期化対応処理にモードが移行するものとされ、これに応じて、ＤＶＤ初期化画面を表示出力させることとなるものである。
【００６２】
図８は、上記したＤＶＤ初期化画面の表示態様例を示している。なお、この図に示されるＤＶＤ初期化画面は、装填されたＤＶＤの物理フォーマットがＤＶＤ−ＲＷとされている場合のものとされる。つまり、ＤＶＤ初期化画面としては、ＤＶＤの物理フォーマットごとに対応した表示内容を有するものとされる。この場合には、装填されたＤＶＤの物理フォーマットがＤＶＤ−ＲＷであるとの判定結果が得られていることに応じて、ＤＶＤ−ＲＷに対応するＤＶＤ初期化画面を表示させていることになる。
【００６３】
この図８に示されるＤＶＤ初期化画面においては、先ず、３つの論理フォーマット選択ボタン（選択項目）８１−１、８１−２、８１−３が表示されている。先に図２により説明したように、ＤＶＤ−ＲＷが対応可能な論理フォーマットとしては、ＤＶＤ−Ｖｉｄｅｏ、ＤＶＤ−ＶＲ、ＡＶＣＨＤの３つであるとされている。これに応じて、ＤＶＤ−ＲＷについては、ＤＶＤ−Ｖｉｄｅｏ、ＤＶＤ−ＶＲ、ＡＶＣＨＤのいずれかの論理フォーマットによる初期化を行うことができる。つまり、本実施の形態のビデオカメラ装置１では、書き換え型のＤＶＤについては、その物理フォーマットに対応する論理フォーマットにより初期化を実行可能に構成されている。
これに応じて、ビデオカメラ装置１により、例えばＤＶＤ−ＲＷを初期化するのにあたっては、初期化に使用する論理フォーマットを、ＤＶＤ−Ｖｉｄｅｏ、ＤＶＤ−ＶＲ、ＡＶＣＨＤの３つの候補のうちから任意に選択可能なようにされている。論理フォーマット選択ボタン８１−１、８１−２、８１−３は、このようにして初期化に使用すべき論理フォーマットをユーザに選択させるためのボタンとされる。
そして、この場合の論理フォーマット選択ボタン８１−１、８１−２、８１−３は、図示するようにして、横方向に並べられるようにして配列されたうえで、左から右にかけて順に、ＤＶＤ−Ｖｉｄｅｏ、ＤＶＤ−ＶＲ、ＡＶＣＨＤの各論理フォーマットの名称が表示されているものである。
【００６４】
そして、上記論理フォーマット選択ボタン８１−１、８１−２、８１−３のうちのいずれか１つに対しては、強調表示枠（選択中表示）８２が配置表示されることとなっている。この図では、論理フォーマット選択ボタン８１−１に対して強調表示枠８２が配置表示された状態例が示されているが、これは、現在において、論理フォーマット選択ボタン８１−１において示される論理フォーマットであるＤＶＤ−Ｖｉｄｅｏが、初期化に使用する論理フォーマットとして暫定的に選択されていることを示していることになる。
【００６５】
この強調表示枠８２は、例えばユーザによる所定操作に応じて、論理フォーマット選択ボタン８１−１、８１−２、８１−３の間で任意に移動させることができる。つまり、ユーザは、強調表示枠８２を移動させる操作を行うことにより、初期化に使用する論理フォーマットの選択候補を変更することが可能とされている。なお、強調表示枠８２の移動は、例えば、表示部１７の表示画面部をタッチパネルとして構成している場合には、表示部１７の表示画面部に表示される論理フォーマット選択ボタンの部分に触れる操作によって行わせることが可能とされる。あるいは、本体に備えられる所定の操作子に対する操作によって行えるように構成することも可能である。そして、例えば、実際に初期化に使用したいと思う論理フォーマット名が示される論理フォーマット選択ボタン８１に対して強調表示枠８２を配置させたうえで、同じＤＶＤ初期化画面に表示されているＯＫボタン８３に対する操作を行ったとされると、このときに強調表示枠８２が配置されていた論理フォーマット選択ボタン８１において示されている論理フォーマットにより、ＤＶＤに対する初期化が実行されることになる。
【００６６】
そして、本実施の形態としてはＤＶＤ初期化画面を表示開始させるのにあたり、初期化対象のＤＶＤが複数の論理フォーマットにより初期化可能とされる場合においては、次のようにして、強調表示枠８２を配置表示させるべき論理フォーマット選択ボタン８１を決定するようにされる。
つまり、ＤＶＤ初期化画面の表示を開始すべきことになったとすると、ビデオカメラ装置１では、不揮発性メモリ１８ｄに保持しているマウント履歴情報のうちから、初期化対象として装填されているＤＶＤの物理フォーマットに対応するマウント履歴情報を参照するようにされる。そして、このマウント履歴情報において最も登録数が多い論理フォーマットを示している論理フォーマット選択ボタン８１に対して、強調表示枠８２を配置表示させるようにするものである。
【００６７】
これまでにも述べているように、マウント履歴情報は、現在におけるユーザの論理フォーマットの使用傾向を反映している。従って、上記のようにして強調表示枠８２の初期表示を行うこととすれば、この強調表示枠８２が配置された論理フォーマット選択ボタン８１により示される論理フォーマットを、ユーザが初期化に利用しようとする確率が高い、ということになる。そして、実際に、ユーザが、強調表示枠８２の配置表示により示される論理フォーマットにより初期化を行わせようと思っていた場合には、そのままＯＫボタン８３に対する操作のみを行えばよいことになる。
例えば、マウント履歴情報を利用しない場合には、ユーザが初期化に利用しようとする論理フォーマットを推定することはできない。従って、この場合において、ＤＶＤ初期化画面を表示開始させるときに強調表示枠８２を表示させることとすれば、予め決めておいた特定の論理フォーマット選択ボタン８１に対して配置させる程度のことしかできないことになる。この場合には、ユーザが初期化に利用したいとする論理フォーマットと、強調表示枠８２の配置により選択される論理フォーマットとが相違する可能性が高く、従って、ユーザが強調表示枠８２を移動させる操作を行う可能性も高くなってしまう。このことと比較すれば、本実施の形態では、初期化に使用する論理フォーマットを選択し直す手間が省かれる可能性が高くなっているものであり、それだけ使い勝手が向上されることになる。
【００６８】
続いては、上記ＤＶＤ初期化画面の表示処理を含む、初期化対応処理のモードとしての手順例を、図９のフローチャートにより説明する。なお、この図に示す手順としても、ＣＰＵ１８ａがプログラムを実行して実現される動作としてみることができるものである。また、確認のために述べておくと、この図９の手順は、先の図５におけるステップＳ１１１としての初期化対応処理としての手順にもなるものである。
【００６９】
図９においては、先ず、ステップＳ３０１において、不揮発性メモリ１８ｄに記憶保持されているマウント履歴情報のうちで、装填されたＤＶＤの物理フォーマットに対応するマウント履歴情報を参照し、このなかで最も登録数の多い論理フォーマットが何であるのかを認識するようにされる。なお、最も登録数の多い論理フォーマットが２以上存在するときには、予め定めた所定規則に従って、１つの論理フォーマットを選択して、これを認識結果として扱うようにされる。そして、次のステップＳ３０２においては、上記ステップＳ３０１にて認識した論理フォーマットを、初期化優先論理フォーマットとして設定するようにされる。
【００７０】
次のステップＳ３０３においては、現在においてシンプル操作モードが有効に設定されているか否かについての判別を行うようにされる。シンプル操作モードとは、通常の操作モードでは可能とされる詳細な各種のパラメータの変更設定などの操作は行えないようにする代わりに、例えばデフォルトで適当に設定したパラメータにより各種の動作が自動的に実行されるようにすることで、ユーザが複雑で面倒な操作を行わなくても済むようにした操作モードとされる。このシンプル操作モードが設定されているとして、肯定の判別結果が得られた場合には、ステップＳ３０４に進む。ステップＳ３０４においては、ステップＳ３０２において設定された初期化優先論理フォーマットにより、ＤＶＤの初期化を実行するようにされる。つまり、シンプル操作モードの場合には、ＤＶＤ初期化画面を表示させてユーザによる論理フォーマットの選択決定操作を行わせるという手順を踏むことなく、マウント履歴情報に基づいて、ユーザが使用する可能性が高いとされる論理フォーマットにより直ちに初期化を実行するようにされる。
【００７１】
これに対して、ステップＳ３０３において否定の判別結果が得られた場合には、ステップＳ３０５以降の手順を実行するようにされる。
先ず、ステップＳ３０５においては、ＤＶＤ初期化画面の表示を開始させるための表示制御を実行する。そして、この際においては、ステップＳ３０２にて初期化優先論理フォーマットとして設定された論理フォーマットが示される論理フォーマット選択ボタン８１に対して、強調表示枠８３を配置表示させるようにする。これにより、例えば図８にて説明したようにして、ＤＶＤ初期化画面の初期表示にあたり、マウント履歴情報において最も登録数の多い論理フォーマットが示される論理フォーマット選択ボタン８１に対して強調表示枠８２が配置表示されることになる。
【００７２】
上記のようにしてＤＶＤ初期化画面を表示開始させた後は、ステップＳ３０６としての手順により、論理フォーマット選択ボタン８１に対する操作、つまり、初期化に利用する論理フォーマットの選択変更の操作が行われるのに応じて、操作が行われた論理フォーマット選択ボタン８１に対して強調表示枠８２が移動して配置表示されるようにするための処理を実行する。
そして、ステップＳ３０７において、ＯＫボタン８３に対する操作が行われたとされると、ステップＳ３０８に進み、今回のＯＫボタン８３の操作が行われたときに強調表示枠８２が表示されていた論理フォーマット選択ボタン８１が示す論理フォーマットにより、ＤＶＤに対する初期化を実行するようにされる。
【００７３】
ところで、上記のようにしてＤＶＤ初期化画面を表示させて、ユーザに初期化に使用する論理フォーマットの選択を可能としたうえで初期化を実行するということは、初期化に使用された論理フォーマットの履歴によっても、ユーザが使用する論理フォーマットの傾向は反映されるということがいえる。
【００７４】
そこで、本願発明にあっては、他の実施の形態の第１例として、次のような構成を提案する。つまり、これまでに説明したマウント履歴情報に代えて、初期化履歴情報を作成、保持することとする。そして、この初期化履歴情報に基づいて、これまでに説明した、マウント処理における論理フォーマット別マウント処理の実行順の決定、あるいは、ＤＶＤ初期化画面の初期表示にあたっての、強調表示枠８２を配置表示すべき論理フォーマット選択ボタン８１の決定などの処理を行うように構成するものである。
【００７５】
以下、上記のようにして初期化履歴情報を用いた他の実施の形態の第１例としての構成について説明することとし、先ず、初期化履歴情報そのものについて説明しておくこととする。
先ず、初期化履歴情報としても、先に図３に示したマウント履歴情報のようにして、複数の論理フォーマットが対応可能とされる物理フォーマットのＤＶＤ種別ごとに対応したものを作成して、不揮発性メモリに保持させることとする。つまり、ＤＶＤ−Ｒ、ＤＶＤ＋Ｒ、ＤＶＤ−ＲＷ、ＤＶＤ＋ＲＷごとに対応する初期化履歴情報を作成して保持させるようにするものである。
【００７６】
また、ＤＶＤの物理フォーマットごとに対応した初期化履歴情報の構造としても、例えば図４に示したマウント履歴情報の構造に準ずればよい。つまり、対応する物理フォーマットのＤＶＤについての、直近の所定回数分の過去の初期化を実行したときに使用（選択）された論理フォーマットを示す情報を登録した構造とするものである。なお、このようにして作成される初期化履歴情報についても、マウント履歴情報に準じて、初期化という所定の処理の実行結果として論理フォーマットが特定されたことについての履歴が示されるものとして捉えることができる。
【００７７】
また、初期化履歴情報を利用した論理フォーマット別マウント処理の実行順の決定のためにビデオカメラ装置１が実行すべき手順については、先に説明した図５に準ずればよい。
つまり、ステップＳ１０３においては、マウント履歴情報に代えて、先のステップＳ１０１により判定された物理フォーマットに対応する有効な初期化履歴情報が不揮発性メモリ１８ｄに保持されているか否かについて判別することとして、ここで肯定の判別結果が得られた場合には、ステップＳ１０４により、この有効とされる初期化履歴情報を利用して実行順指示情報を作成することとすればよい。
【００７８】
また、初期化対応処理に伴う、強調表示枠８２を配置表示すべき論理フォーマット選択ボタン８１の決定処理についても、図９のフローチャートに示した手順に準ずればよいものとされる。この場合には、ステップＳ３０１、Ｓ３０２により、マウント履歴情報に代えて、装填されているＤＶＤの物理フォーマットに対応する初期化履歴情報を参照して、登録数が最も多かった論理フォーマットを初期化優先論理フォーマットとして決定することとすればよい。
【００７９】
これまでの実施の形態の構成としては、マウント履歴情報と初期化履歴情報のうちのいずれか一方のみを作成保持することとして、マウント処理における論理フォーマット別マウント処理の実行順の決定や、ＤＶＤ初期化画面の初期表示時における強調表示枠８２の配置決定の処理を行うのにあたっては、作成保持されているマウント履歴情報のみ、あるいは初期化履歴情報のみを一貫して利用することとしていた。これに対して、マウント履歴情報と初期化履歴情報の両者を作成保持することとして、例えばこれらの履歴情報を、適切に使い分けるようにして利用するという構成を採ることも考えられる。
このような構成では、マウント履歴情報と初期化履歴情報のうちで、信頼性が高いとしてみなされる方を選択して使用することが可能となるものであり、マウント履歴情報と初期化履歴情報のいずれか一方のみを利用する場合と比較して、論理フォーマットについてのユーザの利用傾向がより的確に反映されるようにすることが期待される。そこで、ここでは、このような構成を、他の実施の形態の第２例として扱って説明を行うこととする。
【００８０】
そして、この他の実施の形態の第２例の場合には、図１０に示すようにして、ＤＶＤ−Ｒ、ＤＶＤ＋Ｒ、ＤＶＤ−ＲＷ、ＤＶＤ＋ＲＷごとの物理フォーマットに対応させて、マウント履歴情報と初期化履歴情報を共に作成することとしたうえで、不揮発性メモリ１８ｄにおいて保持させることになる。
【００８１】
図１１のフローチャートは、上記他の実施の形態の第２例としてのＤＶＤ初期化画面の初期表示のための手順を含む、初期化対応処理の手順例を示している。なお、この図において図９と同一部分については、同一符号を付して説明を省略する。
この図に示す手順としては、先ずステップＳ４０１により、現在初期化対象として装填されているＤＶＤの物理フォーマットに対応するマウント履歴情報に対して与えられているポイント（点数）と、同じ物理フォーマットに対応する初期化履歴情報に対して与えられているポイント(点数)についての大小比較を行うようにされる。
ここで、マウント履歴情報と初期化履歴情報のそれぞれに与えられるポイントとは、後述するステップＳ４１１の手順により１ポイント(１点)ずつ加算されるものであり、後の説明からも理解されるように、このポイントが多いほど、その履歴情報の内容が、現在におけるユーザの論理フォーマットの使用傾向から乖離していくことを示しているものである。
そして、次のステップＳ４０２においては、上記ステップＳ４０１による比較結果に基づいて、マウント履歴情報と初期化履歴情報のうちで、ポイントが小さい方の履歴情報、つまり、現在におけるユーザの論理フォーマットの使用傾向に対する乖離度が低いとされるほうの履歴情報を選択するようにされる。
そして、続くステップＳ４０３により、上記ステップＳ４０２にて選択した履歴情報を参照して、このうちから最も登録数が多いとされる論理フォーマットを認識するようにされる。
【００８２】
上記ステップＳ４０３は、図９におけるステップＳ３０１の手順に対応する。さらに、続くステップＳ４０４からステップＳ４０９により示される手順は、図９におけるステップＳ３０２からステップＳ３０７までの手順と同様となることから、ここでの説明は省略する。
【００８３】
そのうえで、この場合においては、ステップＳ４０９においてＯＫボタン８３に対する操作が行われたとして肯定の判別結果が得られたとされると、ステップＳ４１０により、今回のＯＫボタン８３の操作により初期化に使用すべきとして決定されることとなった論理フォーマットについて、ＤＶＤ初期化画面の初期表示時において強調表示枠８２の配置表示により選択が行われていたものであるか否かについての判別を行うようにされる。
ここで、図８を例にとると、この図のＤＶＤ初期化画面の初期表示時においては、ＤＶＤ−Ｖｉｄｅｏが示される論理フォーマット選択ボタン８１に対して強調表示枠８２を配置表示させたこととしている。この場合において、例えば、最終的にＯＫボタン８３を操作したときに強調表示枠８２が配置表示されていた論理フォーマット選択ボタン８１が、同じＤＶＤ−Ｖｉｄｅｏを示す論理フォーマット選択ボタン８１−１とされていたのであれば、ステップＳ４１０としては、肯定の判別結果が得られることになる。これに対して、ＯＫボタン８３の操作により選択決定された論理フォーマット選択ボタン８１が、ＤＶＤ−Ｖｉｄｅｏを示す以外の論理フォーマット選択ボタン８１−２、あるいは論理フォーマット選択ボタン８１−３とされていたのであれば、否定の判別結果が得られることになる。
そして、ステップＳ４１０において肯定の判別結果が得られた場合には、ステップＳ４１１をスキップして、ステップＳ４１２に進むようにされるが、否定の判別結果が得られた場合には、ステップＳ４１１に進むようにされる。
【００８４】
ステップＳ４１１においては、先のステップＳ４０２により選択されたとする履歴情報、つまり、ＤＶＤ初期化画面の初期表示時において強調表示枠８２を配置すべき論理フォーマット選択ボタン８１の選択決定に利用した履歴情報に与えているとされるポイントについて、１ポイントを加算するようにされる。なお、このポイントの値についての情報は、例えば不揮発性メモリ１８ｄに保存しておくようにされる。このようにして、履歴情報に与えられるポイントは、ＤＶＤ初期化画面の初期表示時において強調表示枠８２の配置により選択されていたとする論理フォーマットが、最終的に、ユーザによって初期化に利用すべきものとして選択決定されなかった場合に加算されることになる。従って、先に述べたように、マウント履歴情報と初期化履歴情報とでポイントの大きい方が、現在のユーザの論理フォーマットの使用傾向に対して乖離している度合いが強いことを示し得ることになる。
【００８５】
そして、上記のようにして、ステップＳ４１０、Ｓ４１１の手順を経たとされると、ステップＳ４１２により、先の図９のステップＳ３０８と同様にして、ＯＫボタン８３の操作時において強調表示枠８２が配置された論理フォーマット選択ボタン８１が示す論理フォーマットにより初期化を実行するようにされる。
【００８６】
続いては、図１２のフローチャートにより、他の実施の形態の第２例としての論理フォーマット別マウント処理の実行順決定の手順を含む、マウント処理の手順例について説明を行っていくこととする。なお、この図において、図５と同一部分については同一符号を付して説明を省略する。
図１２に示す処理においては、ステップＳ５０２による、ＤＶＤが初期化済みか否かについての判別結果が肯定となる場合において、ステップＳ５０３、Ｓ５０４により、先の図１１のステップＳ４０１、Ｓ４０２と同様の手順を実行する。つまり、装填されたＤＶＤの物理フォーマットに対応して不揮発性メモリ１８ｄに保持されているマウント履歴情報と初期化履歴情報のそれぞれに与えられたポイントを比較し、ポイントが少ない方の履歴情報を選択するようにされる。そして、ステップＳ５０５においては、図５のステップＳ１０３に代えて、ステップＳ５０１により判定された物理フォーマットに対応したマウント履歴情報と初期化履歴情報のうちで、ステップＳ５０４により選択されたほうの履歴情報が、不揮発性メモリ１８ｄにて保持されており、かつ有効性を有しているか否かについての判別を行うようにされる。そして、ステップＳ５０５にて肯定の判別結果が得られた場合においては、ステップＳ５０６により、図１のステップＳ１０４に準じて、ステップＳ５０４により選択された履歴情報を利用して実行順指示情報を作成し、これをＲＡＭ１８ｂに保持するようにされる。なお、残るステップＳ５０７〜ステップＳ５１３までの手順については、図５のステップＳ１０５〜Ｓ１１１と同様となる。ただし、ステップＳ５１３としての初期化対応処理については、図１１に示した手順により実行されるものとなる。
【００８７】
なお、上記他の実施の形態の第２例として、論理フォーマット別マウント処理の実行順決定、及び強調表示枠８２を配置すべき論理フォーマット選択ボタン８１の決定のために利用する履歴情報の選択手法については、上記のようなポイントの付与などにより推定されるユーザの利用傾向からの乖離度を信頼性の度合いとして扱うこととする手法以外にも考えられるものである。例えば、マウント履歴情報と初期化履歴情報のうちで登録数の多い方を信頼性が高いものとして扱って選択するということも考えられる。この選択手法は、例えばマウント履歴情報と初期化履歴情報における履歴項目数が比較的多数設定されている場合などに有効になる。
【００８８】
また、上記他の実施の形態の第２例においては、論理フォーマット別マウント処理の実行順決定、及び強調表示枠８２を配置すべき論理フォーマット選択ボタン８１の決定にあたり、マウント履歴情報と初期化履歴情報のうちからいずれか１つを選択して利用することとしているが、これら２つの履歴情報の内容を併用するようにして構成することも考えられる。例えば最も単純な方法としては、２つの履歴情報における同じ論理フォーマットの登録数を合算して得られた結果を利用することが考えられる。また、所定の条件に従って、マウント履歴情報と初期化履歴情報の論理フォーマットの登録数に重み付けを与えて合算したことに基づいて得られる結果を利用することも考えられる。
【００８９】
また、本願発明としては、これまでに説明した実施の形態としての構成に限定されるべきものではない。
例えば、上記各実施の形態においては、マウント処理、初期化処理の対象として、ＤＶＤを例に挙げているが、ＤＶＤ以外の記憶媒体とされてもよいものである。また、ＤＶＤ以外の記憶媒体としては、ＤＶＤと同じ光学ディスク状記憶媒体の他、磁気ディスクなどの磁気記憶媒体や、半導体記憶素子などの他の種類の記憶媒体とされてもよいものである。
また、本願発明に対応する記憶媒体対応処理装置して、本実施の形態ではビデオカメラ装置１を例に挙げているが、これ以外の各種機器に適用されてもよいものである。
【図面の簡単な説明】
【００９０】
【図１】本発明の実施の形態としてのビデオカメラ装置の構成例を示すブロック図である。
【図２】実施の形態のビデオカメラ装置が対応可能とされるＤＶＤの物理フォーマットと論理フォーマットを示す図である。
【図３】本実施の形態において作成保存されるマウント履歴情報の種別例を示す図である。
【図４】装填されたＤＶＤの物理フォーマットがＤＶＤ−ＲＷの場合における、マウント履歴情報の内容例を示す図である。
【図５】マウント履歴情報を利用した論理フォーマット別マウント処理の実行順の決定手順を含むマウント処理の手順例を示すフローチャートである。
【図６】マウント履歴情報を利用した実行順指示情報の作成のための手順を示すフローチャートである。
【図７】実行順指示情報の内容例を示す図である。
【図８】ＤＶＤ初期化画面の表示態様例を示す図である。
【図９】マウント履歴情報を利用した初期表示時の強調表示枠配置の決定手順を含む、初期化対応処理の手順例を示すフローチャートである。
【図１０】本実施の形態において作成保存されるマウント履歴情報及び初期化履歴情報の種別例を示す図である。
【図１１】マウント履歴情報と初期化履歴情報のうちのいずれかを選択して利用した、初期表示時の強調表示枠配置の決定手順を含む、初期化対応処理の手順例を示すフローチャートである。
【図１２】マウント履歴情報と初期化履歴情報のうちのいずれかを選択して利用した、論理フォーマット別マウント処理の実行順の決定手順を含むマウント処理の手順例を示すフローチャートである。
【符号の説明】
【００９１】
１  ビデオカメラ装置、１１  カメラユニット、１２  Ａ／Ｄコンバータ、１３  画像信号処理部、１４  メモリ、１５  ＤＶＤドライブ、１６  表示ドライバ、１７  表示部、１８  制御部、１８ａ  ＣＰＵ、１８ｂ  ＲＡＭ、１８ｃ  ＲＯＭ、１８ｄ  不揮発性メモリ、１９  操作部
【図１】
2008041135.tif 000003
【図２】
2008041135.tif 000004
【図３】
2008041135.tif 000005
【図４】
2008041135.tif 000006
【図５】
2008041135.tif 000007
【図６】
2008041135.tif 000008
【図７】
2008041135.tif 000009
【図８】
2008041135.tif 000010
【図９】
2008041135.tif 000011
【図１０】
2008041135.tif 000012
【図１１】
2008041135.tif 000013
【図１２】
2008041135.tif 000014